(57)【要約】【課題】マクロセルによるカバレッジエリア及びＣＳＧセルによるカバレッジエリアが少なくとも一部で重複している場合であっても、ＣＳＧセルによるカバレッジエリア内で、移動局の接続状態への遷移の成功確率を向上させる。【解決手段】本発明に係る移動通信方法は、無線基地局ｅＮＢ＃１が、無線基地局ＨｅＮＢ＃１に対して、マクロセル＃１で用いられているランダムアクセスプリアンブル＃１、及び、ランダムアクセス応答用受信ウィンドウサイズ＃１を通知する工程と、無線基地局ＨｅＮＢ＃１が、ランダムアクセスプリアンブル＃１を検出した場合に、ランダムアクセス応答用受信ウィンドウサイズ＃１に基づいて決定されるランダムアクセス応答用受信期間内において、ランダムアクセスプリアンブル＃１に対するランダムアクセス応答に対する干渉の影響を低減するための処理を行う工程とを有する。【選択図】図４
2013106258.tif 000002
【特許請求の範囲】
【請求項１】
第１無線基地局配下のセルによるカバレッジエリア及び第２無線基地局配下のセルによるカバレッジエリアが少なくとも一部で重複するように形成されている移動通信システムにおける移動通信方法であって、
前記第１無線基地局が、第２無線基地局に対して、該第１無線基地局配下のセルで用いられているランダムアクセスプリアンブル、及び、ランダムアクセス応答用受信ウィンドウサイズを通知する工程と、
前記第２無線基地局が、前記ランダムアクセスプリアンブルを検出した場合に、前記ランダムアクセス応答用受信ウィンドウサイズに基づいて決定されるランダムアクセス応答用受信期間内において、該ランダムアクセスプリアンブルに対するランダムアクセス応答に対する干渉の影響を低減するための処理を行う工程とを有することを特徴とする移動通信方法。
【請求項２】
前記処理は、前記ランダムアクセス応答用受信期間内において、該第２無線基地局配下のセルにおいて接続状態の移動局に対する下りデータ信号のスケジューリングを行わないようにする処理であることを特徴とする請求項１に記載の移動通信方法。
【請求項３】
前記処理は、前記ランダムアクセス応答用受信期間内において、該第２無線基地局配下のセルにおける下り制御信号の送信電力を下げる処理であることを特徴とする請求項１に記載の移動通信方法。
【請求項４】
第１無線基地局配下のセルによるカバレッジエリア及び第２無線基地局配下のセルによるカバレッジエリアが少なくとも一部で重複するように形成されている移動通信システムにおいて該第１無線基地局として機能する無線基地局であって、
前記第２無線基地局に対して、前記第１無線基地局配下のセルで用いられているランダムアクセスプリアンブル、及び、ランダムアクセス応答用受信ウィンドウサイズを通知するように構成されている送信部を具備することを特徴とする無線基地局。
【請求項５】
第１無線基地局配下のセルによるカバレッジエリア及び第２無線基地局配下のセルによるカバレッジエリアが少なくとも一部で重複するように形成されている移動通信システムにおいて該第２無線基地局として機能する無線基地局であって、
前記第１無線基地局から、該第１無線基地局配下のセルで用いられているランダムアクセスプリアンブル、及び、ランダムアクセス応答用受信ウィンドウサイズを取得するように構成されている受信部と、
前記ランダムアクセスプリアンブルを検出した場合に、前記ランダムアクセス応答用受信ウィンドウサイズに基づいて決定されるランダムアクセス応答用受信期間内において、該ランダムアクセスプリアンブルに対するランダムアクセス応答に対する干渉の影響を低減するための処理を行うように構成されている制御部とを具備することを特徴とする無線基地局。
【発明の詳細な説明】
【技術分野】
【０００１】
本発明は、移動通信方法及び無線基地局に関する。
【背景技術】
【０００２】
図５に示すように、ＬＴＥ（Ｌｏｎｇ  Ｔｅｒｍ  Ｅｖｏｌｕｔｉｏｎ）方式の移動通信システムでは、無線基地局ｅＮＢ＃１配下のマクロセル＃１によるカバレッジエリア及び無線基地局ＨｅＮＢ＃１配下のＣＳＧ（Ｃｌｏｓｅｄ  Ｓｕｂｓｃｒｉｂｅｒ  Ｇｒｏｕｐ）セル＃１によるカバレッジエリアが少なくとも一部で重複するように形成されているケースが想定され得る。
【先行技術文献】
【非特許文献】
【０００３】
【非特許文献１】３ＧＰＰ  ＴＳ３６.３００
【発明の概要】
【発明が解決しようとする課題】
【０００４】
しかしながら、かかるケースにおいて、マクロセル＃１において待ち受け状態（ＩＤＬＥ状態）であり且つＣＳＧセル＃１に対するアクセス権を有していない移動局ＵＥが、ＣＳＧセル＃１によるカバレッジエリア内で、待ち受け状態から接続状態（Ｃｏｎｎｅｃｔｅｄ状態）に遷移することを試みる場合、ＣＳＧセル＃１からの干渉によって、マクロセル＃１における下り制御信号の受信に失敗し、かかる遷移が失敗に終わる可能性があるという問題点があった。
【０００５】
特に、かかる遷移を行うに当たって行われるランダムアクセス手順（Ｒａｎｄｏｍ  Ａｃｃｅｓｓ  Ｐｒｏｃｅｄｕｒｅ）では、無線基地局ｅＮＢ＃１から移動局ＵＥに対して、ＨＡＲＱ（Ｈｙｂｒｉｄ-ＨＡＲＱ）制御を行うことなく、ランダムアクセス応答信号が送信されるため、かかるケースでは、移動局ＵＥは、かかるランダムアクセス応答信号の受信に失敗する可能性が高い。
【０００６】
そこで、本発明は、上述の課題に鑑みてなされたものであり、マクロセルによるカバレッジエリア及びＣＳＧセルによるカバレッジエリアが少なくとも一部で重複している場合であっても、ＣＳＧセルによるカバレッジエリア内で、移動局の接続状態への遷移の成功確率を向上させることができる移動通信方法及び無線基地局を提供することを目的とする。
【課題を解決するための手段】
【０００７】
本発明の第１の特徴は、第１無線基地局配下のセルによるカバレッジエリア及び第２無線基地局配下のセルによるカバレッジエリアが少なくとも一部で重複するように形成されている移動通信システムにおける移動通信方法であって、前記第１無線基地局が、第２無線基地局に対して、該第１無線基地局配下のセルで用いられているランダムアクセスプリアンブル、及び、ランダムアクセス応答用受信ウィンドウサイズを通知する工程と、前記第２無線基地局が、前記ランダムアクセスプリアンブルを検出した場合に、前記ランダムアクセス応答用受信ウィンドウサイズに基づいて決定されるランダムアクセス応答用受信期間内において、該ランダムアクセスプリアンブルに対するランダムアクセス応答に対する干渉の影響を低減するための処理を行う工程とを有することを要旨とする。
【０００８】
本発明の第２の特徴は、第１無線基地局配下のセルによるカバレッジエリア及び第２無線基地局配下のセルによるカバレッジエリアが少なくとも一部で重複するように形成されている移動通信システムにおいて該第１無線基地局として機能する無線基地局であって、前記第２無線基地局に対して、前記第１無線基地局配下のセルで用いられているランダムアクセスプリアンブル、及び、ランダムアクセス応答用受信ウィンドウサイズを通知するように構成されている送信部を具備することを要旨とする。
【０００９】
本発明の第３の特徴は、第１無線基地局配下のセルによるカバレッジエリア及び第２無線基地局配下のセルによるカバレッジエリアが少なくとも一部で重複するように形成されている移動通信システムにおいて該第２無線基地局として機能する無線基地局であって、前記第１無線基地局から、該第１無線基地局配下のセルで用いられているランダムアクセスプリアンブル、及び、ランダムアクセス応答用受信ウィンドウサイズを取得するように構成されている受信部と、前記ランダムアクセスプリアンブルを検出した場合に、前記ランダムアクセス応答用受信ウィンドウサイズに基づいて決定されるランダムアクセス応答用受信期間内において、該ランダムアクセスプリアンブルに対するランダムアクセス応答に対する干渉の影響を低減するための処理を行うように構成されている制御部とを具備することを要旨とする。
【発明の効果】
【００１０】
以上説明したように、本発明によれば、マクロセルによるカバレッジエリア及びＣＳＧセルによるカバレッジエリアが少なくとも一部で重複している場合であっても、ＣＳＧセルによるカバレッジエリア内で、移動局の接続状態への遷移の成功確率を向上させることができる移動通信方法及び無線基地局を提供することができる。
【図面の簡単な説明】
【００１１】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る無線基地局ＨｅＮＢ＃１の機能ブロック図である。
【図４】本発明の第１の実施形態に係る移動通信システムで用いられるＲＡＣＨ手順について説明するための図である。
【図５】従来の移動通信システムについて説明するための図である。
【発明を実施するための形態】
【００１２】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１３】
図１に示すように、本実施形態に係る移動通信システムは、マクロセル＃１を管理する無線基地局ｅＮＢ＃１と、ＣＳＧセル（或いは、フェムトセルと呼ばれてもよい）＃１を管理する無線基地局ＨｅＮＢ＃１とを具備している。
【００１４】
本実施形態に係る移動通信システムでは、マクロセル＃１によるカバレッジエリア及びＣＳＧセルによるカバレッジエリアは、地理的に少なくとも一部で重畳するように形成されている。具体的には、図１に示すように、本実施形態に係る移動通信システムでは、マクロセル＃１によるカバレッジエリア内に、ＣＳＧセル＃１によるカバレッジエリアが含まれるような構成となっている。
【００１５】
図２に示すように、無線基地局ｅＮＢ＃１は、ＲＡＣＨ（Ｒａｎｄｏｍ  Ａｃｃｅｓｓ  Ｃｈａｎｎｅｌ）手順実行部１１と、送信部１２とを具備している。
【００１６】
ＲＡＣＨ手順実行部１１は、マクロセル＃１において待ち受け状態の移動局ＵＥとの間で、ＲＡＣＨ手順を実行するように構成されている。
【００１７】
例えば、ＲＡＣＨ手順実行部１１は、かかる移動局ＵＥから、ランダムアクセルプリアンブルを受信した場合に、かかる移動局ＵＥに対して、ランダムアクセス応答を送信するように構成されている。
【００１８】
また、ＲＡＣＨ手順実行部１１は、かかる移動局ＵＥから、「Ｓｃｈｅｄｕｌｅｄ  Ｔｒａｎｓｍｉｓｓｉｏｎ」を受信した場合に、かかる移動局ＵＥに対して、「Ｃｏｎｔｅｎｔｉｏｎ  Ｒｅｓｏｌｕｔｉｏｎ」を送信するように構成されている。
【００１９】
送信部１２は、無線基地局ＨｅＮＢ＃１に対して、マクロセル＃１で用いられているランダムアクセスプリアンブル＃１及びランダムアクセス応答用受信ウィンドウサイズ＃１を通知するように構成されている。
【００２０】
図３に示すように、無線基地局ＨｅＮＢ＃１は、受信部２１と、制御部２２と、送信部２３とを具備している。
【００２１】
受信部２１は、無線基地局ｅＮＢ＃１から各種信号を受信するように構成されている。
【００２２】
具体的には、受信部２１は、所定タイミングで、無線基地局ｅＮＢ＃１から、マクロセル＃１で用いられているランダムアクセスプリアンブル＃１及びランダムアクセス応答用受信ウィンドウサイズ＃１を取得するように構成されている。
【００２３】
例えば、受信部２１は、無線基地局ｅＮＢ＃１と無線基地局ＨｅＮＢ＃１との間でコネクションを設定する際に、かかるランダムアクセスプリアンブル＃１及びランダムアクセス応答用受信ウィンドウサイズ＃１を取得するように構成されていてもよいし、定期的に、かかるランダムアクセスプリアンブル＃１及びランダムアクセス応答用受信ウィンドウサイズ＃１を取得するように構成されていてもよい。
【００２４】
また、受信部２１は、マクロセル＃１で用いられているランダムアクセスプリアンブル＃１を検出するように構成されている。
【００２５】
制御部２２は、受信部２１によってランダムアクセスプリアンブル＃１が検出された場合に、ランダムアクセス応答用受信ウィンドウサイズ＃１に基づいて決定されるランダムアクセス応答用受信期間内において、ランダムアクセスプリアンブル＃１に対するランダムアクセス応答に対する干渉の影響を低減するための処理を行うように構成されている。
【００２６】
例えば、ランダムアクセス応答用受信期間は、図４に示すように、ランダムアクセルプリアンブル＃１を送信した時点から３サブフレーム後に開始し、ランダムアクセス応答用受信ウィンドウサイズ＃１に対応する時間長を有する期間である。
【００２７】
図４の例では、ランダムアクセス応答用受信期間は、サブフレーム＃３からサブフレーム＃１２までの期間である。ここで、サブフレーム＃０において、ランダムアクセルプリアンブル＃１が送信され、ランダムアクセス応答用受信ウィンドウサイズ＃１は、１０サブフレーム長であるものとする。
【００２８】
例えば、上述の処理は、上述のランダムアクセス応答用受信期間内において、ＣＳＧセル＃１において接続状態の移動局ＵＥに対する下りデータ信号、例えば、ＰＤＳＣＨ（Ｐｈｙｓｉｃａｌ  Ｄｏｗｎｌｉｎｋ  Ｓｈａｒｅｄ  Ｃｈａｎｎｅｌ）を介して送信されるデータ信号のスケジューリングを行わないようにする処理であってもよいし、ＣＳＧセル＃１における下り制御信号、例えば、ＣＲＳ（Ｃｅｌｌ-Ｓｐｅｃｉｆｉｃ  Ｒｅｆｅｒｅｎｃｅ  Ｓｉｇｎａｌ）やＰ-ＳＳ（Ｐｒｉｍａｒｙ  Ｓｈｙｎｃｈｒｏｎｉｚａｔｉｏｎ  Ｓｉｇｎａｌ）やＳ-ＳＳ（Ｓｅｃｏｎｄａｒｙ  Ｓｈｙｎｃｈｒｏｎｉｚａｔｉｏｎ  Ｓｉｇｎａｌ）等の送信電力を下げる処理であってもよい。
【００２９】
送信部２３は、ＣＳＧセル＃１において接続状態の移動局ＵＥに対するスケジューリング信号や下りデータ信号や下り制御信号等を送信するように構成されている。
【００３０】
以下、図１を参照して、本実施形態に係る移動通信システムにおいて、ＣＳＧセル＃１に対するアクセス権を有していない移動局ＵＥが、マクロセル＃１において待ち受け状態（ＩＤＬＥ状態）である場合に、ＣＳＧセル＃１によるカバレッジエリア内で、待ち受け状態から接続状態（Ｃｏｎｎｅｃｔｅｄ状態）に遷移することを試みる動作について説明する。
【００３１】
図１に示すように、かかる移動局ＵＥが、マクロセル＃１で用いられているランダムアクセスプリアンブル＃１を送信する（図４に示すサブフレーム＃０）と、ステップＳ１０１Ａにおいて、無線基地局ｅＮＢ＃１が、かかるランダムアクセスプリアンブル＃１を受信すると共に、ステップＳ１０１Ｂにおいて、無線基地局ＨｅＮＢ＃１が、かかるランダムアクセスプリアンブル＃１が送信されていることを検出する。
【００３２】
ここで、無線基地局ＨｅＮＢ＃１は、ランダムアクセス応答用受信ウィンドウサイズ＃１（図４の例では、１０サブフレーム長）に基づいて決定されるランダムアクセス応答用受信期間（図４に示すサブフレーム＃３〜＃１２）内において、ランダムアクセスプリアンブル＃１に対するランダムアクセス応答に対する干渉の影響を低減するための処理として、ＣＳＧセル＃１において接続状態の移動局ＵＥに対する下りデータ信号のスケジューリングを行わないようにする処理及びＣＳＧセル＃１における下り制御信号の送信電力を下げる処理の少なくとも一方を行う。
【００３３】
ステップＳ１０２において、無線基地局ｅＮＢ＃１は、ＨＡＲＱ制御を行うことなく、ランダムアクセスプリアンブル＃１に対するランダムアクセス応答を送信する。
【００３４】
ここで、移動局ＵＥは、上述の処理が無線基地局ＨｅＮＢ＃１によって行われているため、ランダムアクセス応答用受信期間（図４に示すサブフレーム＃３〜＃１２）において、ＣＳＧセル＃１からの干渉の影響が小さくなっているため、かかるランダムアクセス応答の受信に成功する可能性が高まっている。
【００３５】
本実施形態に係る移動通信システムによれば、マクロセルによるカバレッジエリア及びＣＳＧセルによるカバレッジエリアが少なくとも一部で重複している場合であっても、ランダムアクセス応答用受信期間では、マクロセル＃１において待ち受け状態の移動局ＵＥに対するＣＳＧセル＃１からの干渉の影響が小さくなっているため、ＲＡＣＨ手順が成功する可能性が高まるため、ＣＳＧセル＃１によるカバレッジエリア内で、移動局ＵＥの接続状態への遷移の成功確率を向上させることができる。
【００３６】
以上に述べた本実施形態の特徴は、以下のように表現されていてもよい。
【００３７】
本実施形態の第１の特徴は、無線基地局ｅＮＢ＃１（第１無線基地局）配下のマクロセル＃１によるカバレッジエリア及び無線基地局ＨｅＮＢ＃１（第２無線基地局）配下のＣＳＧセル＃１によるカバレッジエリアが少なくとも一部で重複するように形成されている移動通信システムにおける移動通信方法であって、無線基地局ｅＮＢ＃１が、無線基地局ＨｅＮＢ＃１に対して、マクロセル＃１で用いられているランダムアクセスプリアンブル＃１、及び、ランダムアクセス応答用受信ウィンドウサイズ＃１を通知する工程と、無線基地局ＨｅＮＢ＃１が、ランダムアクセスプリアンブル＃１を検出した場合に、ランダムアクセス応答用受信ウィンドウサイズ＃１に基づいて決定されるランダムアクセス応答用受信期間（図４におけるサブフレーム＃３〜＃１２）内において、ランダムアクセスプリアンブル＃１に対するランダムアクセス応答に対する干渉の影響を低減するための処理を行う工程とを有することを要旨とする。
【００３８】
本実施形態の第１の特徴において、上述の処理は、上述のランダムアクセス応答用受信期間内において、ＣＳＧセル＃１において接続状態の移動局ＵＥに対する下りデータ信号のスケジューリングを行わないようにする処理であってもよい。
【００３９】
本実施形態の第１の特徴において、上述の処理は、上述のランダムアクセス応答用受信期間内において、ＣＳＧセル＃１における下り制御信号の送信電力を下げる処理であってもよい。
【００４０】
本実施形態の第２の特徴は、無線基地局ｅＮＢ＃１配下のマクロセル＃１によるカバレッジエリア及び無線基地局ＨｅＮＢ＃１配下のＣＳＧセル＃１によるカバレッジエリアが少なくとも一部で重複するように形成されている移動通信システムにおける無線基地局ｅＮＢ＃１であって、無線基地局ＨｅＮＢ＃１に対して、マクロセル＃１で用いられているランダムアクセスプリアンブル＃１、及び、ランダムアクセス応答用受信ウィンドウサイズ＃１を通知するように構成されている送信部１２を具備することを要旨とする。
【００４１】
本実施形態の第３の特徴は、無線基地局ｅＮＢ＃１配下のマクロセル＃１によるカバレッジエリア及び無線基地局ＨｅＮＢ＃１配下のＣＳＧセル＃１によるカバレッジエリアが少なくとも一部で重複するように形成されている移動通信システムにおける無線基地局ＨｅＮＢ＃１であって、無線基地局ｅＮＢ＃１から、マクロセル＃１で用いられているランダムアクセスプリアンブル＃１、及び、ランダムアクセス応答用受信ウィンドウサイズ＃１を取得するように構成されている受信部２１と、ランダムアクセスプリアンブル＃１を検出した場合に、ランダムアクセス応答用受信ウィンドウサイズ＃１に基づいて決定されるランダムアクセス応答用受信期間内において、ランダムアクセスプリアンブル＃１に対するランダムアクセス応答に対する干渉の影響を低減するための処理を行うように構成されている制御部２２とを具備することを要旨とする。
【００４２】
なお、上述の無線基地局ｅＮＢ＃１/ＨｅＮＢ＃１や移動局ＵＥの動作は、ハードウェアによって実施されてもよいし、プロセッサによって実行されるソフトウェアモジュールによって実施されてもよいし、両者の組み合わせによって実施されてもよい。
【００４３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃１/ＨｅＮＢ＃１や移動局ＵＥ内に設けられていてもよい。また、かかる記憶媒体及びプロセッサは、ディスクリートコンポーネントとして無線基地局ｅＮＢ＃１/ＨｅＮＢ＃１や移動局ＵＥ内に設けられていてもよい。
【００４５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４６】
ｅＮＢ＃１、ＨｅＮＢ＃１…無線基地局
ＵＥ…移動局
１１…ＲＡＣＨ手順実行部
１２、２３…送信部
２１…受信部
２２…制御部
【図１】
2013106258.tif 000003
【図２】
2013106258.tif 000004
【図３】
2013106258.tif 000005
【図４】
2013106258.tif 000006
【図５】
2013106258.tif 000007